(57)【要約】【課題】不使用時の携帯性に優れた缶容器グリップを提供する。【解決手段】本発明に係る缶容器グリップは、缶容器に装着される缶容器グリップであって、缶容器の高さ方向に延びたグリップ部と、グリップ部の上端とヒンジを介して連結され、缶容器の上面淵を支持する第１のステー部と、グリップ部の下端とヒンジを介して連結され、缶容器の底面淵を支持する第２のステー部とを備え、缶容器から取り外した状態において、グリップ部は、ヒンジを介して二つ折りに屈折し、第１のステー部及び第２のステー部はヒンジを介してグリップ部と略並行となるまで屈折する。【選択図】図２
2018122921.tif 000002
【特許請求の範囲】
【請求項１】
缶容器に装着される缶容器グリップであって、
前記缶容器の高さ方向に延びたグリップ部と、
前記グリップ部の上端とヒンジを介して連結され、前記缶容器の上面淵を支持する第１のステー部と、
前記グリップ部の下端とヒンジを介して連結され、前記缶容器の底面淵を支持する第２のステー部とを備え、
前記缶容器から取り外した状態において、前記グリップ部は、ヒンジを介して二つ折りに屈折し、前記第１のステー部及び前記第２のステー部はヒンジを介して前記グリップ部と略並行となるまで屈折すること、
を特徴とする折り畳み可能な缶容器グリップ。
【請求項２】
前記缶容器の上面淵及び底面淵は、凸形状となっており、
前記第１のステー部及び前記第２のステー部の先端は、凹形状により構成されること、
を特徴とする請求項１記載の折り畳み可能な缶容器グリップ。
【請求項３】
前記缶容器の上面淵及び底面淵は、第１の凸形状と、第２の凸形状とを含み、
前記第１のステー部及び前記第２のステー部の先端は、前記第１の凸形状と噛み合う第１の凹形状と、前記第２の凸形状と噛み合う第２の凹形状とにより構成されること、
を特徴とする請求項２記載の折り畳み可能な缶容器グリップ。
【請求項４】
前記グリップ部は、前記缶容器の高さ方向に伸縮可能に構成されること、
を特徴とする請求項１ないし３何れか一項に記載の折り畳み可能な缶容器グリップ。
【発明の詳細な説明】
【技術分野】
【０００１】
本発明は、飲料缶及び食品缶詰等の缶容器を保持するグリップに関する。
【背景技術】
【０００２】
従来より、ビールや清涼飲料などの飲料缶容器を保持するためのグリップやホルダー知られている（例えば、特許文献１−３参照）。缶に簡易な取っ手を取り付けて、手すべりによる缶落下防止、転倒防止、結露による手濡れ防止等の他、ジョッキ風の雰囲気を味わうことができる。
【先行技術文献】
【特許文献】
【０００３】
【特許文献１】特開平９−２１６６３４号公報
【特許文献２】特開２０１２−９１８５６号公報
【特許文献３】特開２０１３−３９９７１号公報
【発明の概要】
【発明が解決しようとする課題】
【０００４】
しかしながら、例えば特許文献１−３に記載される発明は、携帯性や収納性の面で課題がある。即ち、宴会先やバーベキュー場などの外出先にバッグや袋等に収納して持参する場合、一定のスペースが必要となる。また、人数分を持参しなくてはならない場合など特にその負担は大きい。
【０００５】
本発明は、上記の点に鑑み提案されたものであり、一つの側面では、不使用時の携帯性に優れた缶容器グリップを提供することを目的とする。
【課題を解決するための手段】
【０００６】
上記の課題を解決するため、本発明に係る缶容器グリップは、缶容器に装着される缶容器グリップであって、前記缶容器の高さ方向に延びたグリップ部と、前記グリップ部の上端とヒンジを介して連結され、前記缶容器の上面淵を支持する第１のステー部と、前記グリップ部の下端とヒンジを介して連結され、前記缶容器の底面淵を支持する第２のステー部とを備え、前記缶容器から取り外した状態において、前記グリップ部は、ヒンジを介して二つ折りに屈折し、前記第１のステー部及び前記第２のステー部はヒンジを介して前記グリップ部と略並行となるまで屈折する。
【発明の効果】
【０００７】
本発明の実施の形態によれば、不使用時の携帯性に優れた缶容器グリップを提供することができる。
【図面の簡単な説明】
【０００８】
【図１】本実施形態に係る缶容器グリップの使用態様を示す図である。
【図２】本実施形態に係る缶容器グリップの折り畳む様子を示した図である。
【図３】本実施形態に係る缶容器グリップの使用態様を示す図である。
【図４】本実施形態に係る缶容器グリップの折り畳む様子を示した図である。
【発明を実施するための形態】
【０００９】
本発明の実施形態について、図面を参照しつつ詳細に説明する。
【００１０】
図１は、本実施形態に係る缶容器グリップの使用態様を示す図である。
【００１１】
本実施形態に係る缶容器グリップ１０は、持ち手の無い飲料缶２０に脱着可能な取っ手（持ち手）である。図１に示されるように缶容器グリップ１０は、グリップ部１１、ステー部１２、ステー部１３、ヒンジ１４、ヒンジ１５、ヒンジ１６を含み構成される。
【００１２】
グリップ部１１は、飲料缶２０の高さ方向に延びており、利用者により握られる取っ手部分である。またグリップ部１１は、飲料缶２０の方向と反対方向（利用者からみると手前方向）に約１８０度迄屈折し、その中央部がヒンジ１４により二つ折りになるよう折り畳み可能に構成される（図２（ｂ）参照）。
【００１３】
ステー部１２は、グリップ部１１の上端とヒンジ１５によって連結されている。ステー部１２は、飲料缶２０の上面淵２１に向かって延びており、ステー部１２の先端には引掛け部１２ａを備える。引掛け部１２ａは、飲料缶２０の上面淵２１の凸部と噛み合う凹形状となっており、飲料缶２０の上面淵２１に引っ掛けて飲料缶２０を支持する。
【００１４】
ステー部１３は、グリップ部１１の下端とヒンジ１６によって連結されている。ステー部１３は、飲料缶２０の底面淵２２に向かって延びており、ステー部１３の先端には引掛け部１３ａを備える。引掛け部１３ａは、飲料缶２０の底面淵２２の凸部と噛み合う凹形状となっており、飲料缶２０の底面淵２２に引っ掛けて飲料缶２０を支持する。
【００１５】
また、ステー部１２及びステー部１３は、それぞれヒンジ１５及びヒンジ１６により、利用者からみると飲料缶２０の方向（Ａ）に、グリップ部１１と接触する程度の略並行となるまで約９０度迄屈折し、グリップ部１１との折り畳みが可能に構成される（図２（ｂ）参照）。
【００１６】
なお、ステー部１２及びステー部１３が方向（Ａ）とは反対方向に屈折しないよう、例えばそれぞれ止め具（ストッパー）１２ｂ及び１３ｂを付して構成される。
【００１７】
利用者は、グリップ部１１を二つ折り状態から直線棒状近くになるまで開きつつ、飲料缶２０の上面淵２１及び底面淵２２に引掛け部１２ａ及び引掛け部１３ａを引っ掛ける。この状態からグリップ部１１を手前方向に引く事により、グリップ部１１は上下方向に突っ張る力を与えられ、ステー部１２及びステー部１３はヒンジ１５及びヒンジ１６を介して飲料缶２０を挟み込む力を得ることができ、その反力で飲料缶２０がしっかりと保持され固定される。
【００１８】
なお、ステー部１２及びステー部１３の素材として、板バネの性状を持つ弾性部材を採用することによりステー部１２及びステー部１３が少し歪曲するため、飲料缶２０の上面淵２１及び底面淵２２に引掛け部１２ａ及び引掛け部１３ａをより容易に引っ掛けやすくなり、保持性も向上することができる。
【００１９】
図２は、本実施形態に係る缶容器グリップの折り畳む様子を示した図である。
【００２０】
缶容器グリップ１０の不使用時、即ち飲料缶２０から缶容器グリップ１０を取り外した状態においては、図２（ａ）に示されるように、グリップ部１１の中央部に位置するヒンジ１４を軸として外側一方方向に二つ折りに屈折させることで、飲料缶２０の上面淵２１及び底面淵２２から、ステー部１２及びステー部１３を取り外す。
【００２１】
次いで、図２（ｂ）に示されるように、グリップ部１１を更に二つ折りに屈折させ、グリップ部１１同士が略並行となるまでグリップ部１１を二つ折りに折り畳む。
【００２２】
また、ステー部１２及びステー部１３は、それぞれヒンジ１５及びヒンジ１６により内側一方方向に屈折させ、それぞれがグリップ部１１と接触する程度に略並行となるまでステー部１２及びステー部１３を折り畳む。なお、再びの使用時には上記と逆の動作を行えばよく、図１に示される状態とする。
【００２３】
以上のように本実施形態に係る缶容器グリップ１０は、グリップ部１１、ステー部１２及びステー部１３をコンパクトに折り畳むことが可能な構造であるため、携帯性や収納性の面で優れている。例えば、宴会先やバーベキュー場などの外出先にバッグや袋等に収納して持参する場合、搬送負担が小さい。
【００２４】
また更に、本実施形態に係る缶容器グリップ１０によれば、以下の効果を奏しうる。
【００２５】
手すべりによる缶落下防止、転倒防止。また、握力が弱い人でも飲料缶２０を容易にグリップすることが可能となる。
【００２６】
利用者が飲料缶２０に直接触れないため、例えば熱く熱せられた飲料物や飲食物であっても、これを保持することができる。
【００２７】
利用者が飲料缶２０に直接触れないため、結露による手濡れ防止等の他、例えばよく冷えた飲料物などの温度変化を抑制することができる。
【００２８】
缶容器グリップ１０の色や意匠を自分好みのものに変えることで、他者の缶容器グリップ１０との区別が付くため、バーベキュー場やパーティ会場等において、他者の飲料缶２０との混同を防止できる。
【００２９】
缶容器グリップ１０を飲料缶２０に取り付ける一連の動作は、スポーツなどにおいて得点を上げたときに頻繁に行われるガッツポーズ動作（握り拳を手前に引く動作）と似ていることから喜びを感じることもでき、実際はビール缶等であってもビールジョッキで祝杯をあげるといった雰囲気を味わえる。
【００３０】
以上、本実施形態によれば、不使用時の携帯性に優れた缶容器グリップを提供することが可能である。
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００３１】
例えば、飲料缶２０は、ビール缶、清涼飲料缶、食品等の缶詰とすることが可能である。但し必ずしも飲料容器の素材は缶のみに限られるものではない。また缶容器グリップは、缶容器用の取っ手、缶容器ホルダーなどと呼んでもよい。
【００３２】
また、飲料缶と通常の缶詰とでは上面淵２１及び底面淵２２の形状がそれぞれ違うことがある。このため、ステー部１２の引掛け部１２ａ及びステー部１３の引掛け部１３ａの各々において、飲料缶の上面淵２１及び底面淵２２の凸部と噛み合う凹形状と、缶詰の上面淵２１及び底面淵２２の凸部と噛み合う凹形状とを同時に設ける。これにより、飲料缶利用時、缶詰利用時といったように、利用する缶形状タイプに応じて引掛け部１２ａ及び引掛け部１３ａを使い分けることで、様々な種類の缶形状タイプでも缶本体をしっかり保持することが可能である（図３参照）。
【００３３】
また、上記実施形態において、グリップ部１１を利用者から見て谷折りに屈折させたが、伝達部材を使用し連動させ、利用者から見て山折りに屈折するようにしてもよい。これにより、折り畳み時にグリップ部１１の表面意匠を見えるようにすることができる（図４参照）。
【００３４】
グリップ部１１及びステー部１２、並びにグリップ部１１及びにステー部１３との連結部において、ねじりばね等の弾性部材を取り付けることにより、グリップ部とステー部との開放動作を開きやすくすることが可能である。
【００３５】
また、グリップ部１１を多条ねじやウォームギヤ等の伝達部材の使用により伸縮できる構造にすることにより、缶飲料缶２０の高さ方向におけるサイズの変化にも対応することが可能である。
【符号の説明】
【００３６】
１０          缶容器グリップ
１１          グリップ部
１２、１３    ステー部
１４−１６    ヒンジ
２０          飲料缶
【図１】
2018122921.tif 000003
【図２】
2018122921.tif 000004
【図３】
2018122921.tif 000005
【図４】
2018122921.tif 000006
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
缶容器に装着される缶容器グリップであって、
前記缶容器の高さ方向に延び、且つ前記缶容器の高さ方向に伸縮可能に構成されるグリップ部と、
前記グリップ部の上端とヒンジを介して連結され、前記缶容器の上面淵を支持する第１のステー部と、
前記グリップ部の下端とヒンジを介して連結され、前記缶容器の底面淵を支持する第２のステー部とを備え、
前記缶容器から取り外した状態において、前記グリップ部は、ヒンジを介して二つ折りに屈折し、前記第１のステー部及び前記第２のステー部はヒンジを介して前記グリップ部と略並行となるまで屈折すること、
を特徴とする折り畳み可能な缶容器グリップ。
【請求項２】
前記缶容器の上面淵及び底面淵は、凸形状となっており、
前記第１のステー部及び前記第２のステー部の先端は、凹形状により構成されること、
を特徴とする請求項１記載の折り畳み可能な缶容器グリップ。
【請求項３】
第１の前記缶容器の上面淵及び底面淵は、第１の凸形状となっており、
第２の前記缶容器の上面淵及び底面淵は、第２の凸形状となっており、
前記第１のステー部及び前記第２のステー部の先端は、前記第１の凸形状と噛み合う第１の凹形状と、前記第２の凸形状と噛み合う第２の凹形状とにより構成されること、
を特徴とする請求項２記載の折り畳み可能な缶容器グリップ。
【手続補正２】
【補正対象書類名】明細書
【補正対象項目名】０００６
【補正方法】変更
【補正の内容】
【０００６】
上記の課題を解決するため、本発明に係る缶容器グリップは、缶容器に装着される缶容器グリップであって、前記缶容器の高さ方向に延び、且つ前記缶容器の高さ方向に伸縮可能に構成されるグリップ部と、前記グリップ部の上端とヒンジを介して連結され、前記缶容器の上面淵を支持する第１のステー部と、前記グリップ部の下端とヒンジを介して連結され、前記缶容器の底面淵を支持する第２のステー部とを備え、前記缶容器から取り外した状態において、前記グリップ部は、ヒンジを介して二つ折りに屈折し、前記第１のステー部及び前記第２のステー部はヒンジを介して前記グリップ部と略並行となるまで屈折する。